(57)【要約】【課題】テレビジョン受像機において、リモコンを紛失した場合等においても、タイマー設定等の高度な操作を行うことができ、普段から慣れ親しんだリモコンに近い操作性を実現する。【解決手段】仮想リモコンモードにおいて、リモコン装置９の外観に相当する画像（仮想リモコン）２０が映像出力部５に表示される。ユーザは、方向キー１２を操作することにより、仮想リモコン２０に表示されている各種のキーを選択し、決定キー１３を操作することにより、対応するリモコン装置９のキーが操作されたものとみなして、それに応じた指令を実行する【選択図】図４
2008301431.tif 000002
【特許請求の範囲】
【請求項１】
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、この制御手段に各種の指令を入力する第１指令入力手段と、前記制御手段に各種の指令を遠隔的に入力する第２指令入力手段とを備えたテレビジョン受像機において、
前記制御手段は、
前記第１指令入力手段から入力された指令に応じて、前記映像出力手段に前記第２指令入力手段の操作部の外観に相当する画像を表示させ、さらに前記第１指令入力手段から入力された指令に応じて前記映像出力手段に表示させた前記第２指令入力手段の画像を変更すると共に、この第１指令入力手段から入力された指令に応じてテレビジョン受像機の制御を行うことを特徴とするテレビジョン受像機。
【請求項２】
前記第１指令入力手段は、前記制御手段に入力する指令を選択するための方向キーと、この方向キーによって選択された指令を決定するための決定キーを有していることを特徴とする請求項１に記載のテレビジョン受像機。
【請求項３】
テレビジョン受像機に接続され、前記テレビジョン受像機に映像信号を出力する映像信号出力装置において、
前記映像信号出力装置に各種の指令を入力する第１指令入力手段と、前記映像信号出力装置に各種の指令を遠隔的に入力する第２指令入力手段とを備え、
前記第１指令入力手段から入力された指令に応じて、前記テレビジョン受像機に前記第２指令入力手段の外観に相当する画像を表示させ、さらに前記第１指令入力手段から入力された指令に応じて前記テレビジョン受像機に表示させた前記第２指令入力手段の画像を変更すると共に、この第１指令入力手段から入力された指令に応じて映像信号出力装置の制御を行うことを特徴とする映像信号出力装置。
【発明の詳細な説明】
【技術分野】
【０００１】
本発明は、テレビジョン受像機及びテレビジョン受像機と接続される映像信号出力装置に関するものである。
【背景技術】
【０００２】
従来から、テレビジョン受像機等のモニタ画面上に仮想リモコン（リモートコントローラ）を表示させる技術が種々検討されている（例えば、特許文献１乃至特許文献３参照）。これらの仮想リモコンは、本来のリモコンが有する機能のうち、一部の機能のみを実現するものである。
【０００３】
【特許文献１】特開２００４−３５７０１２号公報
【特許文献２】特開２００６−９４２１０号公報
【特許文献３】特開２００６−２１１１０４号公報
【発明の開示】
【発明が解決しようとする課題】
【０００４】
しかしながら、上記いずれの特許文献に示された技術においても、本来のリモコンが有する全て機能が利用できないため、例えば、リモコンを紛失した場合等においては、タイマー設定等の高度な操作を行うことができず不便であった。また、普段慣れ親しんだリモコンとは異なるインターフェースの仮想リモコンがモニタ画面上に表示されるため、ユーザはその仮想リモコンを操作する際に違和感を覚え、使い勝手が悪かった。
【０００５】
本発明は、上記課題を解決するためになされたものであり、リモコンを紛失した場合等においても、タイマー設定等の高度な操作を行うことができ、普段から慣れ親しんだリモコンに近い操作性を実現するテレビジョン受像機及び映像信号出力装置を提供することを目的とする。
【課題を解決するための手段】
【０００６】
上記目的を達成するために請求項１の発明は、
テレビジョン放送信号を受信する受信手段と、この受信手段によって受信された放送信号を処理して映像信号及び音声信号に分離する映像音声信号処理手段と、この映像音声信号処理手段によって分離された映像信号を出力する映像出力手段と、映像音声信号処理手段によって分離された音声信号を出力する音声出力手段と、上記各部を制御する制御手段と、この制御手段に各種の指令を入力する第１指令入力手段と、前記制御手段に各種の指令を遠隔的に入力する第２指令入力手段とを備えたテレビジョン受像機において、
前記制御手段は、
前記第１指令入力手段から入力された指令に応じて、前記映像出力手段に前記第２指令入力手段の操作部の外観に相当する画像を表示させ、さらに前記第１指令入力手段から入力された指令に応じて前記映像出力手段に表示させた前記第２指令入力手段の画像を変更すると共に、この第１指令入力手段から入力された指令に応じてテレビジョン受像機の制御を行うものである。
【０００７】
請求項２の発明は、請求項１に記載のテレビジョン受像機において、
前記第１指令入力手段は、前記制御手段に入力する指令を選択するための方向キーと、この方向キーによって選択された指令を決定するための決定キーを有しているものである。
【０００８】
請求項３の発明は、
テレビジョン受像機に接続され、前記テレビジョン受像機に映像信号を出力する映像信号出力装置において、
前記映像信号出力装置に各種の指令を入力する第１指令入力手段と、前記映像信号出力装置に各種の指令を遠隔的に入力する第２指令入力手段とを備え、
前記第１指令入力手段から入力された指令に応じて、前記テレビジョン受像機に前記第２指令入力手段の外観に相当する画像を表示させ、さらに前記第１指令入力手段から入力された指令に応じて前記テレビジョン受像機に表示させた前記第２指令入力手段の画像を変更すると共に、この第１指令入力手段から入力された指令に応じて映像信号出力装置の制御を行うものである。
【発明の効果】
【０００９】
請求項１の発明によれば、ユーザは、映像出力手段に表示された第２指令入力手段の画像を確認しながら第１指令入力手段を操作することにより、テレビジョン受像機に所望の指令を入力できる。これにより、第２指令入力手段を紛失したような場合であっても、第２指令入力手段が実現できる機能と同等の高度な機能を第１指令入力手段を操作することにより実現できる。また、ユーザが普段から慣れ親しんだ第２指令入力手段に近い操作性を実現できるので、ユーザの使い勝手が向上する。
【００１０】
請求項２の発明によれば、ユーザは、映像出力手段に表示された第２指令入力手段の画像を確認しながら方向キーを操作して制御手段に入力する指令を選択し、決定キーを操作してその選択された指令を決定できる。これにより、第１指令入力手段の構成を簡素なものとすることができると共に、方向キー及び決定キーのみを操作することにより第２指令入力手段と同等の高度な機能を実現することができる。
【００１１】
請求項３の発明によれば、ユーザは、テレビジョン受像機に表示された第２指令入力手段の画像を確認しながら第１指令入力手段を操作することにより、映像信号出力装置に所望の指令を入力できる。これにより、第２指令入力手段を紛失したような場合であっても、第２指令入力手段が実現できる機能と同等の高度な機能を第１指令入力手段を操作することにより実現することができる。また、ユーザが普段から慣れ親しんだ第２指令入力手段に近い操作性を実現できるので、ユーザの使い勝手が向上する。また、第２指令入力手段の画像は、テレビジョン受像機に表示されるので、映像信号出力装置に別途表示手段を設ける必要がない。
【発明を実施するための最良の形態】
【００１２】
（第１実施形態）
本発明を実施するための第１実施形態について図面を参照して説明する。図１はテレビジョン受像機の外観を、図２は、テレビジョン受像機の内部構成をそれぞれ示している。テレビジョン受像機１は、テレビジョン放送信号を受信するチューナ（受信手段）２と、チューナ２によって受信された放送信号を復調するデコーダ３と、デコーダ３によって復調された放送信号を映像信号及び音声信号に分離する映像音声信号処理部（映像音声信号処理手段）４と、映像音声信号処理部４によって分離された映像信号を出力するモニタ画面を備えた映像出力部（映像出力手段）５と、映像音声信号処理部４によって分離された音声信号を出力するスピーカを備えた音声出力部（音声出力手段）６と、上記各部を制御するＣＰＵ等の制御部（制御手段）７と、各種の指令を入力するためにユーザによって操作される操作部（第１指令入力手段）８と、離れた場所から各種の指令を遠隔的に入力するためにユーザによって操作されるリモコン装置（第２指令入力手段）９と、リモコン装置９から送信された赤外線信号を受信する赤外線受信部１０を有している。操作部８は、テレビジョン受像機１の前面において映像出力部５の下部に配設されている。
【００１３】
操作部８は、映像出力部５に所定のメニュー画面（図３参照）を表示させる指令を制御部７に入力するためのメニューキー１１と、上記メニュー画面等において、ユーザが制御部７に入力する指令を選択するための４つの方向キー１２と、方向キー１２によって選択された指令を決定するための決定キー１３とを有している。一方、リモコン装置９は、受信チャンネルを選局するためのチャンネル選局キー１５、音声出力部６から出力される音声の音量を調整するためのボリュームキー１６、タイマー等の設定を行うための各種の設定キー１７を有している。
【００１４】
次に、テレビジョン受像機１の動作について、図３乃至図５を参照して説明する。図３は、映像出力部５にメニュー画面が表示させれた状態のテレビジョン受像機１を、図４は、上記メニュー画面において、「仮想リモコンの表示」が選択された後のテレビジョン受像機１をそれぞれ示している。また、図５は、仮想リモコンを用いたときの制御部７の動作を示すフローチャートである。
【００１５】
ユーザは、リモコン装置９を紛失したときであっても、操作部８のみを操作することにより、テレビジョン受像機１に対して高度な指令を入力することができる。以下、その手順を説明する。まず、ユーザによってメニューキー１１が押されると（＃１においてＹＥＳ）、制御部７は映像出力部５に図３に示すようなメニュー画面を表示させる（＃２）。このメニュー画面においては、例えば、チャンネルマップの表示、画質の調整、音声出力の設定及び仮想リモコンの表示等の指令が表示される。このメニュー画面が表示された状態で、ユーザは方向キー１２を操作することにより、いずれかの指令を選択することができる。図３は、仮想リモコンの表示の指令が選択された状態を示している。この状態で決定キー１３が押されると、制御部７は、仮想リモコンモードに移行し（＃３においてＹＥＳ）、映像出力部５に、図４に示すリモコン装置９の操作部の外観に相当する画像（仮想リモコン）２０を、例えばオンスクリーンディスプレイにより表示させる（＃４）。この仮想リモコン２０が表示された状態で、ユーザは方向キー１２を操作することにより、仮想リモコン２０に表示されている各種のキーを選択することができる。すなわち、制御部７は、仮想リモコン２０内の各キーの配置を記憶しており、方向キー１２の操作によって現在どのキーが選択されているかを把握しており、選択されているキーを他のキーとは異なる色彩当によって表示する。例えば、図４においては、仮想リモコン２０内でタイマー設定に相当するキー２１が選択された状態を示している。このように、仮想リモコン２０内でいずれかのキーがユーザによって選択された後、決定キー１３が押されると、制御部７は、リモコン装置９のうち上記選択されたキーに相当するキーが操作されたものとみなして、それに応じた指令を実行する（＃５）。
【００１６】
以上のように、本実施形態のテレビジョン受像機１によれば、ユーザは、映像出力部５に表示されたリモコン装置９の外観に相当する仮想リモコン２０を確認しながら操作部８を操作することにより、テレビジョン受像機１に所望の指令を入力できる。これにより、リモコン装置９を紛失したような場合であっても、リモコン装置９が実現できる機能と同等の高度な機能を操作部８を操作することにより実現することができる。また、ユーザが普段から慣れ親しんだリモコン装置９に近い操作性を実現できるので、ユーザの使い勝手が向上する。また、ユーザは、映像出力部５に表示されたリモコン装置９の画像を確認しながら方向キー１２を操作して制御部７に入力する指令を選択し、決定キー１３を操作してその選択された指令を決定できる。これにより、操作部８の構成を簡素なものとすることができると共に、方向キー１２及び決定キー１３のみを操作することによりリモコン装置９と同等の高度な機能を実現することができる。
【００１７】
（第２実施形態）
図６は、本発明の第２実施形態に係る光ディスク再生記録装置を示している。光ディスク再生記録装置３０は、テレビジョン受像機４０に接続され、光ディスクに記録された映像信号をテレビジョン受像機４０に出力する装置である。光ディスク再生記録装置３０は、各種の指令を入力するための操作部（第１指令入力手段）３１と、各種の指令を遠隔的に入力するリモコン装置（第２指令入力手段）３２を有している。操作部３１は、上述したテレビジョン受像機１と同様に、メニューキー３３、方向キー３４、決定キー３５を有している。
【００１８】
光ディスク再生記録装置３０は、操作部３１から入力された指令に応じて、テレビジョン受像機４０にリモコン装置３２の外観に相当する画像（仮想リモコン）３６を表示させる。光ディスク再生記録装置３０は、さらに操作部３１から入力された指令に応じてテレビジョン受像機４０に表示させた仮想リモコン３６の画像を変更すると共に、この操作部３１から入力された指令に応じて光ディスク再生記録装置３０の制御を行う。
【００１９】
光ディスク再生記録装置３０によれば、ユーザは、テレビジョン受像機４０に表示された仮想リモコン３６を確認しながら操作部３１を操作することにより、光ディスク再生記録装置３０に所望の指令を入力できる。これにより、リモコン装置３２を紛失したような場合であっても、リモコン装置３２が実現できる機能と同等の高度な機能を操作部３１を操作することにより実現することができる。また、ユーザが普段から慣れ親しんだリモコン装置３２に近い操作性を実現できるので、ユーザの使い勝手が向上する。また、リモコン装置３２の画像は、テレビジョン受像機４０に表示されるので、光ディスク再生記録装置３０に別途表示手段を設ける必要がない。
【００２０】
なお、本発明は上記実施形態の構成に限られることなく、少なくとも、映像出力部５又はテレビジョン受像機４０に表示されたリモコン装置９又は３２の外観に相当する仮想リモコン２０又は３６を確認しながら、操作部８又は３１を操作することにより、リモコン装置９又は３２と同等の機能を実現できるように構成されていればよい。また、本発明は種々の変形が可能であり、テレビジョン受像機及び光ディスク再生記録装置に限られることなく、放送受信装置等の映像信号出力装置にも広く適用が可能である。
【図面の簡単な説明】
【００２１】
【図１】本発明の第１実施形態によるテレビジョン受像機の外観を示す図。
【図２】同テレビジョン受像機の内部構成を示すブロック図。
【図３】メニュー画面が表示された状態のテレビジョン受像機を示す図。
【図４】仮想リモコンが表示された状態のテレビジョン受像機を示す図。
【図５】制御部の動作を示すフローチャート。
【図６】本発明の第２実施形態による光ディスク再生記録装置の外観を示す図。
【符号の説明】
【００２２】
１    テレビジョン受像機
５    映像出力部（映像出力手段）
７    制御部（制御手段）
８    操作部（第１指令入力手段）
９    リモコン装置（第２指令入力手段）
１２    方向キー
１３    決定キー
２０    仮想リモコン
【図１】
2008301431.tif 000003
【図２】
2008301431.tif 000004
【図３】
2008301431.tif 000005
【図４】
2008301431.tif 000006
【図５】
2008301431.tif 000007
【図６】
2008301431.tif 000008